(57)【要約】【課題】給湯用バーナと、暖房用バーナと、ファンとを一箇所にまとめて備えて加熱装置を構成している場合に、暖房効率が低下することを抑制することができる給湯暖房システムを提供する。【解決手段】給湯暖房システム２は、給湯端末に給湯する給湯経路３６と、暖房端末７６との間で熱媒体（水）を循環させる暖房経路７１と、暖房経路７１の一部と給湯経路３６の一部が通過する加熱装置１２０とを備える。加熱装置１２０は、給湯経路３６内の水を加熱する給湯用バーナ１３２と、暖房経路７１内の水を加熱する暖房用バーナ１４２と、燃焼室１２２内に燃焼用の空気を取り入れ、燃焼排ガスを燃焼室１２２外に送り出すファン１３４、１４４とを有している。暖房用バーナ１４２を燃焼させずに暖房端末７６で暖房運転を行っている間に給湯用バーナ１３２を燃焼させる給湯運転が行われる場合に、暖房経路７１内の水が加熱装置１２０を通過することを抑制する。【選択図】  図１
2014115064.tif 000002
【特許請求の範囲】
【請求項１】
給湯暖房システムであり、
給湯端末に給湯する給湯経路と、
暖房端末との間で熱媒体を循環させる暖房経路と、
暖房経路と給湯経路が通過する加熱装置と、を備え、
加熱装置は、燃焼室と、燃焼室内でガスを燃焼させて給湯経路内の水を加熱する給湯用バーナと、燃焼室内でガスを燃焼させて暖房経路内の熱媒体を加熱する暖房用バーナと、燃焼室内に燃焼用の空気を取り入れ、燃焼排ガスを燃焼室外に送り出すファンと、を有しており、
暖房用バーナを燃焼させずに暖房端末で暖房運転を行っている間に給湯用バーナを燃焼させる給湯運転が行われる特定の場合に、暖房経路内の熱媒体が加熱装置を通過することを抑制する、
給湯暖房システム。
【請求項２】
暖房経路内で熱媒体を循環させる駆動源であるポンプをさらに備えており、
前記特定の場合に、ポンプを停止させる、
請求項１に記載の給湯暖房システム。
【請求項３】
暖房経路に設けられて、加熱装置の上流側と下流側とを接続するバイパス路と、
バイパス路を開閉する開閉弁と、をさらに備え、
前記特定の場合に、開閉弁を開く、
請求項１に記載の給湯暖房システム。
【発明の詳細な説明】
【技術分野】
【０００１】
本明細書で開示する技術は、給湯暖房システムに関する。
【背景技術】
【０００２】
特許文献１には、給湯端末に給湯する給湯経路と、暖房端末との間で熱媒体を循環させる暖房経路と、暖房経路と給湯経路が通過する加熱装置とを備える給湯暖房システムが開示されている。上記加熱装置は、燃焼室と、燃焼室内でガスを燃焼させて給湯経路内の水を加熱する給湯用バーナと、燃焼室内でガスを燃焼させて暖房経路内の熱媒体を加熱する暖房用バーナと、燃焼室内に燃焼用の空気を取り入れ、燃焼排ガスを燃焼室外に送り出すファンとを有している。特許文献１の給湯暖房システムでは、給湯用バーナと、暖房用バーナと、ファンとを一箇所にまとめて備えて加熱装置を構成している。そのため、給湯暖房システムを設置する際に、ガス供給用の配管を一箇所に集中して配管すれば良く、各種設備の配置を簡易にすることができるという利点がある。
【先行技術文献】
【特許文献】
【０００３】
【特許文献１】特開２０１２−９３０６４号公報
【発明の概要】
【発明が解決しようとする課題】
【０００４】
特許文献１の給湯暖房システムでは、例えば、加熱装置が、燃焼室内に給湯用バーナの燃焼用の空気を取り入れ、燃焼排ガスを燃焼室外に送り出す給湯用ファンと、燃焼室内に暖房用バーナの燃焼用の空気を取り入れ、燃焼排ガスを燃焼室外に送り出す暖房用ファンとをそれぞれ備える場合もある。また、このような給湯暖房システムにおいて、暖房用バーナを燃焼させずに、暖房経路を循環する熱媒体の熱のみによって暖房端末で暖房運転を行っている間に給湯要求が行われると、給湯経路から出湯される水を加熱するために給湯用バーナと給湯用ファンが作動する場合がある。このとき、給湯用バーナの燃焼排ガスが暖房用バーナ側に流れ込むと、次回暖房用バーナを燃焼させる際に不完全燃焼が起こる可能性がある。さらに、暖房用ファンの取り付け口等から燃焼排ガスが漏れ出ると、居室内への燃焼排ガス漏れが起こる可能性もある。また、暖房用ファンの取り付け口等から漏れ出た燃焼排ガスが給湯用ファン近傍に流れると、その燃焼排ガスが給湯用ファンによって給湯用バーナに供給され、燃焼中の給湯用バーナの不完全燃焼が起こる可能性もある。従って、上記の給湯暖房システムでは、給湯用バーナの燃焼排ガスが暖房用バーナ側に流れ込むのを防ぐために、給湯用バーナと給湯用ファンを作動させるとともに、暖房用ファンを作動させる場合がある。この場合、加熱装置の燃焼室内の暖房経路を通過する熱媒体が、暖房用ファンが起こす風の影響で流れ込む外気によって冷やされてしまう場合がある。加熱装置の燃焼室内の暖房経路を通過する熱媒体の温度が下がると、暖房効率が低下してしまう。
【０００５】
本明細書は、上記の不都合を解消して、給湯用バーナと、暖房用バーナと、ファンとを一箇所にまとめて備えて加熱装置を構成している場合に、暖房効率が低下することを抑制することができる給湯暖房システムを提供する。
【課題を解決するための手段】
【０００６】
本明細書が開示する給湯暖房システムは、給湯端末に給湯する給湯経路と、暖房端末との間で熱媒体を循環させる暖房経路と、暖房経路と給湯経路が通過する加熱装置と、を備える。加熱装置は、燃焼室と、燃焼室内でガスを燃焼させて給湯経路内の水を加熱する給湯用バーナと、燃焼室内でガスを燃焼させて暖房経路内の熱媒体を加熱する暖房用バーナと、燃焼室内に燃焼用の空気を取り入れ、燃焼排ガスを燃焼室外に送り出すファンとを有している。この給湯暖房システムでは、暖房用バーナを燃焼させずに暖房端末で暖房運転を行っている間に給湯用バーナを燃焼させる給湯運転が行われる特定の場合に、暖房経路内の熱媒体が加熱装置を通過することを抑制する。
【０００７】
上記の給湯暖房システムによると、暖房用バーナを燃焼させずに暖房端末で暖房運転を行っている間に給湯用バーナを燃焼させる給湯運転が行われる特定の場合に、暖房経路内の熱媒体が加熱装置を通過することが抑制される。そのため、暖房経路内を通過する熱媒体が、ファンの作動に伴う風の影響で流れ込む外気によって冷やされることを抑制することができる。その結果、暖房用バーナを作動させずに暖房端末で暖房運転を行っている間に給湯用バーナを燃焼させる給湯運転が行われる場合であっても、暖房効率が低下し難くなる。従って、例えば、給湯用バーナと、暖房用バーナと、ファンとを一箇所にまとめて備えて加熱装置を構成している場合であっても、暖房効率が低下することを抑制することができる。
【図面の簡単な説明】
【０００８】
【図１】第１実施例の給湯暖房システム２の構成を模式的に示す図。
【図２】第１実施例において、暖房用加熱ユニット１４０を作動させずに暖房運転を行う際に実行する処理を示すフローチャート。
【図３】第２実施例の給湯暖房システム２の構成を模式的に示す図。
【図４】第２実施例において、暖房用加熱ユニット１４０を作動させずに暖房運転を行う際に実行する処理を示すフローチャート。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）  暖房経路内で熱媒体を循環させる駆動源であるポンプをさらに備え、暖房用バーナを燃焼させずに暖房端末で暖房運転を行っている間に給湯用バーナを燃焼させる給湯運転が行われる特定の場合に、ポンプを停止させることが好ましい。この構成によると、ポンプを停止させることで、暖房経路内の熱媒体が加熱装置を通過することを適切に抑制することができる。
【００１１】
（特徴２）  暖房経路に設けられて、加熱装置の上流側と下流側とを接続するバイパス路と、バイパス路を開閉する開閉弁と、をさらに備え、上記の特定の場合に、開閉弁を開くことが好ましい。この構成によると、開閉弁を開いてバイパス路を開くことで、暖房経路内の熱媒体が加熱装置を通過することを適切に抑制することができる。
【００１２】
（第１実施例）
図１に示すように、本実施例に係る給湯暖房システム２は、タンク１０と、給湯系統１０４と、ヒートポンプ系統１０６と、暖房系統１０８と、加熱装置１２０と、制御装置１００とを備えている。
【００１３】
タンク１０は、水（温水）を貯える。タンク１０は、密閉型であり、断熱材によって外側が覆われている。タンク１０内には満水まで水が貯留されている。タンク１０には、サーミスタ１２、１４、１６、１８がタンク１０の高さ方向に略均等間隔を取り付けられている。各サーミスタ１２、１４、１６、１８は、その取付位置の水の温度を測定する。
【００１４】
ヒートポンプ系統１０６は、ヒートポンプ５０と、蓄熱用タンク水循環路５２とを備える。蓄熱用タンク水循環路５２は、上流端がタンク１０の下部に接続されており、下流端がタンク１０の上部に接続されている。蓄熱用タンク水循環路５２には、循環ポンプ５４が介装されている。循環ポンプ５４は、蓄熱用タンク水循環路５２内の水を上流側から下流側へ送り出す。
【００１５】
ヒートポンプ５０は、外気から吸熱して、蓄熱用タンク水循環路５２内の水を加熱する熱源である。ヒートポンプ５０は、図示しないが、熱媒体（例えばＣＯ２等）を循環させる熱媒体循環路と、外気と熱媒体との間で熱交換を行う蒸発器と、熱媒体を圧縮して高温高圧にする圧縮器と、蓄熱用タンク水循環路５２内の水と高温高圧の熱媒体との間で熱交換を行う熱交換器と、熱交換を終えた後の熱媒体を減圧させて低温低圧にする膨張弁と、を備えている。ヒートポンプ５０と循環ポンプ５４を作動させると、タンク１０下部の水が蓄熱用タンク水循環路５２に導入され、導入された水はヒートポンプ５０で加熱され、加熱された水がタンク１０上部に戻される。
【００１６】
給湯系統１０４は、水道水導入路２４と、給湯経路３６とを備える。水道水導入路２４は、上流端が水道水供給源３２に接続されている。水道水導入路２４の下流側は、第１導入路２４ａと第２導入路２４ｂに分岐している。第１導入路２４ａの下流端は、タンク１０の下部に接続されている。第２導入路２４ｂの下流端は、給湯経路３６の途中に接続されている。接続部には、第１導入路２４ａ（即ち給湯経路３６）を流れる水の流量と第２導入路２４ｂを流れる水の流量の比率を調整する混合弁３６ａが配置されている。第１導入路２４ａには、逆止弁２６が介装されている。第２導入路２４ｂには、逆止弁２８と水量センサ３０が介装されている。水量センサ３０は、第２導入路２４ｂ内を流れる水道水の流量を検出する。
【００１７】
給湯経路３６は、上流端がタンク１０の上部に接続されている。上述したように、給湯経路３６の途中には、水道水導入路２４の第２導入路２４ｂが接続されている。第２導入路２４ｂとの接続部より上流側の給湯経路３６には、水量センサ３４が介装されている。水量センサ３４は、給湯経路３６内を流れる水の流量を検出する。第２導入路２４ｂとの接続部より下流側の給湯経路３６は、加熱装置１２０のケース１２１及び燃焼室１２２を通過している。詳しくは後述するが、加熱装置１２０は、燃焼室１２２を通過する給湯経路３６内の水を加熱する。給湯経路３６の下流端は給湯栓３８に接続されている。給湯経路３６には、加熱装置１２０をバイパスする流路であるバイパス路３６ｂが設けられている。また、バイパス路３６ｂには、バイパス路３６ｂの開度を調整するためのバイパス制御弁３６ｃが介装されている。
【００１８】
暖房系統１０８は、暖房用タンク水循環路２０と、熱交換器６０と、シスターン７０と、暖房経路７１と、暖房端末７６と、を備えている。暖房経路７１は、暖房往路７２と、暖房復路８４と、調整弁９０と、熱回収路８８と、バイパス路９４と、循環流路９６とを備えている。暖房用タンク水循環路２０と熱回収路８８は、熱交換器６０を通過している。暖房経路７１は、シスターン７０内の水を循環させるための水路である。暖房経路７１内の水は、熱交換器６０、及び、加熱装置１２０によって加熱される。
【００１９】
暖房用タンク水循環路２０は、上流端がタンク１０の上部に接続されており、下流端がタンク１０の下部に接続されている。暖房用タンク水循環路２０には、循環ポンプ２２が介装されている。循環ポンプ２２は、暖房用タンク水循環路２０内の水（温水）を上流側から下流側へ送り出す。また、暖房用タンク水循環路２０は、上記の通り、熱交換器６０を通過している。そのため、熱交換器６０では、暖房用タンク水循環路２０を通過する水（温水）の熱によって、熱回収路８８内の水が加熱される。熱交換器６０を通過した後の水は、タンク１０の下部に戻される。
【００２０】
シスターン７０は、上部が開放されている容器であり、内部に熱媒体である水を貯留している。シスターン７０には、循環流路９６の下流端と、暖房往路７２の上流端とが接続されている。シスターン７０内には、循環流路９６から水が流入する。シスターン７０内の水は、暖房往路７２に導入される。
【００２１】
暖房往路７２は、上流端がシスターン７０に接続され、下流端が暖房端末７６の往き口に接続されている。暖房往路７２には、循環ポンプ７４が介装されている。循環ポンプ７４は、暖房往路７２内の水を下流側に送り出すポンプである。循環ポンプ７４より下流側の暖房往路７２は、加熱装置１２０のケース１２１及び燃焼室１２２を通過している。詳しくは後述するが、加熱装置１２０は、燃焼室１２２を通過する暖房往路７２内の水を加熱する。加熱装置１２０で加熱された水は、暖房端末７６に供給される。また、暖房往路７２の加熱装置１２０の下流側には、サーミスタ７８が介装されている。サーミスタ７８は、加熱装置１２０を通過した後の暖房往路７２内の水の温度を測定する。
【００２２】
暖房端末７６は、暖房往路７２から供給される水の熱を利用して、居室を暖房する端末である。暖房往路７２から供給される水は、暖房に利用されると、熱を奪われ、比較的低温の水となる。暖房に利用された後の比較的低温の水は、暖房復路８４に導入される。
【００２３】
暖房復路８４は、上流端が暖房端末７６の戻り口に接続され、下流端がバイパス路９４の上流端及び熱回収路８８の上流端に接続されている。暖房復路８４には、サーミスタ８６が介装されている。サーミスタ８６は、暖房復路８４内の水の温度（即ち、熱交換器６０に送り込まれる水の温度）を測定する。
【００２４】
熱回収路８８は、上流端がバイパス路９４の上流端及び暖房復路８４の下流端に接続され、下流端がバイパス路９４の下流端及び循環流路９６の上流端に接続されている。熱回収路８８は、熱交換器６０を通過している。そのため、循環ポンプ７４及び循環ポンプ２２を作動させると、上記の通り、熱回収路８８内の水が熱交換器６０で加熱される。熱回収路８８の熱交換器６０の下流側には、サーミスタ９２が介装されている。サーミスタ９２は、熱交換器６０を通過した後の熱回収路８８内の水の温度を測定する。
【００２５】
バイパス路９４は、上流端が暖房復路８４の下流端及び熱回収路８８の上流端に接続され、下流端が熱回収路８８の下流端及び循環流路９６の上流端に接続されている。即ち、バイパス路９４は、熱交換器６０の上流側と下流側とをバイパスする。調整弁９０は、暖房復路８４の下流端と、熱回収路８８の上流端と、バイパス路９４の上流端との接続部分に取り付けられている。調整弁９０は、その開度を変化させることによって、熱回収路８８を通過する水の流量（熱交換器６０を通過する水の流量）と、バイパス路９４を通過する水の流量との割合を変化させることができる。
【００２６】
循環流路９６は、上流端が熱回収路８８の下流端及びバイパス路９４の下流端に接続され、下流端がシスターン７０に接続されている。循環流路９６には、サーミスタ９８が介装されている。サーミスタ９８は、循環流路９６内の水の温度を測定する。
【００２７】
加熱装置１２０は、ケース１２１と、燃焼室１２２と、給湯用加熱ユニット１３０と、暖房用加熱ユニット１４０とを備える。ケース１２１内には、燃焼室１２２が格納されており、その燃焼室１２２には、給湯用加熱ユニット１３０及び暖房用加熱ユニット１４０が備えられている。また、上述のように、給湯経路３６のうち第２導入路２４ｂとの接続部より下流側の部分は、ケース１２１及び燃焼室１２２内を通過している。また、暖房往路７２のうち循環ポンプ７４より下流側の部分も、ケース１２１及び燃焼室１２２内を通過している。
【００２８】
給湯用加熱ユニット１３０は、給湯用バーナ１３２と、給湯用ファン１３４とを備える。給湯用バーナ１３２は、燃焼室１２２内に設けられており、燃焼室１２２内でガスを燃焼させて給湯経路３６内の水を加熱する。給湯用ファン１３４は、燃焼室１２２の外壁に取り付けられており、燃焼室１２２内に給湯用バーナ１３２の燃焼用の空気を取り入れ、燃焼排ガスを燃焼室１２２外に送り出す。
【００２９】
暖房用加熱ユニット１４０は、暖房用バーナ１４２と、暖房用ファン１４４とを備える。暖房用バーナ１４２は、燃焼室１２２内に設けられており、燃焼室１２２内でガスを燃焼させて暖房往路７２内の水を加熱する。暖房用ファン１４４は、燃焼室１２２の外壁に取り付けられており、燃焼室１２２内に暖房用バーナ１４２の燃焼用の空気を取り入れ、燃焼排ガスを燃焼室１２２外に送り出す。
【００３０】
燃焼室１２２の内壁には、図示しない断熱材が配置されている。これにより、給湯用加熱ユニット１３０及び暖房用加熱ユニット１４０の加熱効率が良好に保たれている。また、燃焼室１２２の上部には、給湯用バーナ１３２及び暖房用バーナ１４２で発生する燃焼排ガスを燃焼室１２２外に送り出すための排気口１２４が設けられている。排気口１２４は、ケース１２１を貫通して設けられている。排気口１２４の開口部は、ケース１２１の外側に突出している。また、燃焼室１２２内には、給湯用バーナ１３２の設置領域と暖房用バーナ１４２の設置領域とを区画する区画壁１２６が設けられている。このように、燃焼室１２２内部は区画壁１２６によって区画されているが、例えば、暖房用ファン１４４が停止している間に給湯用バーナ１３２及び給湯用ファン１３４を作動させると、給湯用バーナ１３２の燃焼排ガスが、暖房用バーナ１４２の設置領域内に流れ込んでしまうおそれがある。給湯用バーナ１３２の燃焼排ガスが暖房用バーナ１４２の設置領域内に流れ込むと、次回暖房用バーナ１４２を燃焼させる際に不完全燃焼が起こる可能性がある。さらに、暖房用ファン１４４の取り付け口等から燃焼排ガスが漏れ出ると、居室内への燃焼排ガス漏れが起こる可能性もある。また、暖房用ファン１４４の取り付け口等から漏れ出た燃焼排ガスが給湯用ファン１３４近傍に流れると、その燃焼排ガスが給湯用ファン１３４によって給湯用バーナ１３２に供給され、燃焼中の給湯用バーナ１３２の不完全燃焼が起こる可能性もある。そのため、本実施例の給湯暖房システム２では、給湯用バーナ１３２と給湯用ファン１３４を作動させる場合には、給湯用バーナ１３２の燃焼排ガスが暖房用バーナ１４２側に流れ込むのを防ぐために、併せて暖房用ファン１４４を作動させている。同様に、本実施例の給湯暖房システム２では、暖房用バーナ１４２と暖房用ファン１４４を作動させる場合には、暖房用バーナ１４２の燃焼排ガスが給湯用バーナ１３２側に流れ込むのを防ぐために、併せて給湯用ファン１３２を作動させている。
【００３１】
制御装置１００は、タンク１０、給湯系統１０４、ヒートポンプ系統１０６、暖房系統１０８、及び、加熱装置１２０と電気的に接続されており、各構成要素の動作を制御する。
【００３２】
（給湯暖房システムの動作）
次いで、本実施例の給湯暖房システム２の動作について説明する。給湯暖房システム２は、蓄熱運転、給湯運転、暖房運転を実行することができる。本実施例の給湯暖房システム２は、蓄熱運転、給湯運転、暖房運転のうち２つ以上の運転を同時に実行することもできる。以下、各運転について説明する。
【００３３】
（蓄熱運転）
蓄熱運転は、ヒートポンプ５０で生成した熱により、タンク１０内の水を加熱する運転である。制御装置１００によって蓄熱運転の実行が指示されると、ヒートポンプ５０が作動するとともに、循環ポンプ５４が回転する。その結果、タンク１０から蓄熱用タンク水循環路５２内に導入された水がヒートポンプ５０によって加熱され、加熱された水がタンク１０の上部に戻される。これにより、タンク１０に高温の水が貯められる。タンク１０の上部には、高温の水の層が形成され、下部には、低温の水の層が形成される。
【００３４】
（給湯運転）
給湯運転は、タンク１０内の水を給湯栓３８に供給する運転である。給湯栓３８が開かれると、制御装置１００は、混合弁３６ａを開く。すると、水道水供給源３２からの水圧によって、水道水導入路２４（第１導入路２４ａ）からタンク１０の下部に水道水が流入する。同時に、タンク１０上部の温水が、給湯経路３６を介して給湯栓３８に供給される。制御装置１００は、タンク１０から給湯経路３６に供給される水の温度（即ち、サーミスタ１２の検出温度）が、給湯設定温度より高い場合には、混合弁３６ａを調整して、第２導入路２４ｂから給湯経路３６に水道水を導入する。制御装置１００は、給湯栓３８に供給される水の温度が、給湯設定温度と一致するように、混合弁３６ａの開度比率を調整する。一方、制御装置１００は、タンク１０から給湯経路３６に供給される水の温度が、給湯設定温度より低い場合には、給湯用加熱ユニット１３０を作動させる（図１参照）。従って、給湯経路３６を通過する水が給湯用バーナ１３２のガス燃焼熱によって加熱される。加熱された水は、バイパス制御弁３６ｃで開度調整されたバイパス路３６ｂからの水と混合されて、給湯栓３８に供給される。制御装置１００は、給湯栓３８に供給される水の温度が、給湯設定温度と一致するように、給湯用バーナ１３２の出力を制御する。
【００３５】
（暖房運転）
暖房運転は、暖房端末７６を作動させて居室を暖房する運転である。制御装置１００によって蓄熱運転の実行が指示されると、循環ポンプ２２と循環ポンプ７４とが回転する。これにより、タンク１０の上部から暖房用タンク水循環路２０に導入された水（温水）が、熱交換器６０を通過して、タンク１０下部に戻されるとともに、暖房経路７１内の水が循環する。暖房運転の開始時点では、調整弁９０の開度は、暖房経路７１内の水の全量が熱回収路８８（熱交換器６０）を通過し、バイパス路９４を全く通過しないように調整される。これにより、熱回収路８８を通過する水は、熱交換器６０を通過する際に、暖房用タンク水循環路２０内の温水の熱によって加熱される。この結果、熱交換器６０で加熱された水が暖房端末７６に供給される。暖房端末７６は、供給された水の熱を利用して、居室を暖房する。また、本実施例の給湯暖房システム２では、暖房運転を行う場合、制御装置１００は、ヒートポンプ５０及び循環ポンプ５４をさらに作動させ、上記の蓄熱運転を合わせて行うことで、タンク１０内に継続して温水を貯めるようにする。
【００３６】
制御装置１００は、サーミスタ７８の検出温度が、暖房端末７６での要求温度を賄うための暖房設定温度より低い場合には、暖房用加熱ユニット１４０を作動させる。その場合、暖房往路７２を通過する水が、暖房用バーナ１４２のガス燃焼熱によって加熱される。加熱された水は、暖房端末７６に供給される。制御装置１００は、暖房端末７６に供給される水の温度が、暖房設定温度と一致するように、暖房用バーナ１４２の出力を制御する。この際、上記の通り、制御装置１００は、暖房用バーナ１４２の燃焼排ガスが給湯用バーナ１３２側に流れ込むのを防ぐために、暖房用加熱ユニット１４０（暖房用バーナ１４２、暖房用ファン１４４）の作動に併せて、給湯用ファン１３２を作動させる。
【００３７】
（暖房用加熱ユニット１４０を作動させずに暖房運転を行う際に実行する処理）
図２は、本実施例の給湯暖房システム２において、暖房用加熱ユニット１４０を作動させずに暖房運転を行う場合に、制御装置１００が実行する処理を示すフローチャートである。制御装置１００は、ユーザによって暖房運転開始指示が行われ、暖房用加熱ユニット１４０を作動させずに暖房運転を開始する場合、又は、図２の処理以前に暖房用加熱ユニット１４０を作動させながら暖房運転を行っており、その状態から暖房用加熱ユニット１４０を停止させた場合に、図２の処理を開始する。
【００３８】
Ｓ１０では、制御装置１００は、循環ポンプ２２、循環ポンプ７４、ヒートポンプ５０、及び、循環ポンプ５４を作動させる。これにより、上記の通り、タンク１０の温水の熱のみを熱源として利用する暖房運転が開始される。なお、図２の処理が開始する前に、暖房用加熱ユニット１４０を作動させながら暖房運転が行われており、暖房用加熱ユニット１４０を停止させたことによって図２の処理が開始された場合、Ｓ１０では、制御装置１００は、引き続き、循環ポンプ２２、循環ポンプ７４、ヒートポンプ５０、及び、循環ポンプ５４を作動させる。
【００３９】
次いで、Ｓ１２では、制御装置１００は、暖房運転の終了指示が行われることを監視する。同時に、Ｓ１３では、制御装置１００は、暖房用加熱ユニット１４０が作動することを監視する。さらに同時に、Ｓ１４では、制御装置１００は、給湯用加熱ユニット１３０が作動することを監視する。
【００４０】
ユーザによって暖房運転の終了指示が入力されると、制御装置１００は、Ｓ１２でＹＥＳと判断する。この場合、制御装置１００は、図２の処理を終了するとともに、暖房運転を終了する。この場合、制御装置１００は、循環ポンプ２２、循環ポンプ７４、ヒートポンプ５０、及び、循環ポンプ５４を停止する。
【００４１】
一方、制御装置１００は、暖房用加熱ユニット１４０を作動させずに暖房運転を行っている間に、サーミスタ７８の検出温度が、暖房端末７６での要求温度を賄うための暖房設定温度より低くなると、暖房用加熱ユニット１４０を作動させる。この場合、制御装置１００は、Ｓ１３でＹＥＳと判断し、図２の処理を終了する。この場合、制御装置１００は、循環ポンプ２２、循環ポンプ７４、ヒートポンプ５０、及び、循環ポンプ５４に加えて、暖房用加熱ユニット１４０を作動させる。また、この際、制御装置１００は、暖房用バーナ１４２の燃焼排ガスが給湯用バーナ１３２側に流れ込むのを防ぐために、暖房用加熱ユニット１４０（暖房用バーナ１４２、暖房用ファン１４４）の作動に併せて、給湯用ファン１３２を作動させる。
【００４２】
また、暖房用加熱ユニット１４０を作動させずに、タンク１０の温水の熱のみを熱源として利用する暖房運転を実行している間に、給湯運転が実行され、給湯用加熱ユニット１３０が作動する場合がある。この際、制御装置１００は、給湯用バーナ１３２の燃焼排ガスが暖房用バーナ１４２の設置領域内に流れ込むのを防ぐために、給湯用加熱ユニット１３０（給湯用バーナ１３２、給湯用ファン１３４）の作動に併せて、暖房用ファン１４４を作動させる。この結果、加熱装置１２０の燃焼室１２２内を通る暖房往路７２内の水が、暖房用ファン１４４が起こす風の影響で冷やされてしまうおそれがある。燃焼室１２２内を通る暖房往路７２内を通過する水の温度が下がると、暖房効率が低下してしまう。この場合、制御装置１００は、Ｓ１４でＹＥＳと判断し、Ｓ１６に進む。
【００４３】
Ｓ１６では、制御装置１００は、循環ポンプ７４を停止させる。これにより、暖房往路７２内を含む暖房経路７１内の水の循環が停止する。なお、制御装置１００は、この間も暖房用ファン１４４を引き続き作動させる。暖房経路７１内の水の循環が停止することにより、暖房経路７１内の水が、加熱装置１２０の燃焼室１２２内を通過し、暖房用ファン１４４が起こす風の影響で冷やされてしまうことを防ぐことができる。
【００４４】
Ｓ１６で循環ポンプ７４を停止すると、Ｓ１８では、制御装置１００は、給湯用加熱ユニット１３０が停止することを監視する。給湯用加熱ユニット１３０を作動させて行う給湯運転は、短時間で終了する場合が多い。そのため、給湯用加熱ユニット１３０が停止すると、制御装置１００は、Ｓ１８でＹＥＳと判断し、Ｓ２０に進む。なお、制御装置１００は、給湯用加熱ユニット１３０が停止する場合、作動させていた暖房用ファン１４４も停止させる。
【００４５】
Ｓ２０では、制御装置１００は、再び、循環ポンプ７４を作動させる。これにより、暖房経路７１内の水の循環が再開される。即ち、上記の通り、本実施例では、制御装置１００は、給湯用加熱ユニット１３０を作動させて行う給湯運転が行われている間（給湯用ファン１３４及び暖房用ファン１４４作動中）に限って暖房経路７１内の水の循環を停止させ、給湯用加熱ユニット１３０を作動させて行う給湯運転が終了した時点（給湯用ファン１３４及び暖房用ファン１４４が停止した時点）で、暖房経路７１内の水の循環を再開する。従って、及び暖房用ファン１４４が起こす風の影響による暖房効率の低下を最小限に抑えることができる。Ｓ２０を終えると、制御装置１００は、再び、Ｓ１２、Ｓ１３、Ｓ１４の監視に戻る。
【００４６】
以上、本実施例の給湯暖房システム２の構成及び動作について説明した。上記の通り、本実施例の給湯暖房システム２は、暖房用加熱ユニット１４０を作動させずに暖房運転を行っている間に、給湯用加熱ユニット１３０が作動し、併せて暖房用ファン１４４も作動する場合に、暖房経路７１内の水が加熱装置１２０を通過することが抑制される。そのため、暖房経路７１内を通過する水が、暖房用ファン１４４の作動に伴う風の影響で冷やされることを抑制することができる。その結果、暖房用加熱ユニット１４０を作動させずに暖房運転を行っている間に、給湯用加熱ユニット１３０が作動し、併せて暖房用ファン１４４が作動する場合であっても、暖房効率が低下し難くなる。従って、本実施例の給湯暖房システム２によると、給湯用バーナ１３２、給湯用ファン１３４、暖房用バーナ１４２、及び、暖房用ファン１４４を、例えば同一のケース１２１を用いて一箇所にまとめて加熱装置１２０を構成している場合であっても、暖房効率が低下することを抑制することができる。
【００４７】
本実施例と請求項の記載の対応関係を説明しておく。図２のＳ１４でＹＥＳの場合が、「特定の場合」の一例である。循環ポンプ７４が「ポンプ」の一例である。
【００４８】
（第２実施例）
次いで、第２実施例の給湯暖房システム２について、図３、図４を参照して、第１実施例と異なる点を中心に説明する。図３は、本実施例の給湯暖房システム２の構成を示す。本実施例の給湯暖房システム２も、その基本構成は第１実施例の給湯暖房システム２（図１）と共通する。ただし、本実施例の給湯暖房システム２では、暖房往路７２に、加熱装置１２０の上流側と下流側とを接続するバイパス路１５０が設けられている。即ち、バイパス路１５０は、加熱装置１２０をバイパスする流路である。また、バイパス路１５０には、バイパス路１５０を開閉するための開閉弁１５２が介装されている。開閉弁１５２は、後述の場合（図４のＳ３４でＹＥＳの場合）を除いて、常時全閉されている。
【００４９】
（暖房用加熱ユニット１４０を作動させずに暖房運転を行う際に実行する処理）
本実施例では、暖房用加熱ユニット１４０を作動させずに暖房運転を行う場合に、制御装置１００が実行する処理の内容も第１実施例とは異なる。図４は、本実施例の給湯暖房システム２において、暖房用加熱ユニット１４０を作動させずに暖房運転を行う場合に、制御装置１００が実行する処理を示すフローチャートである。
【００５０】
図４の処理の開始条件は、第１実施例の図２の処理の開始条件と同様である。なお、上記の通り、暖房用加熱ユニット１４０を作動させずに暖房運転を行っている間も、制御装置１００は、バイパス路１５０を全閉するように開閉弁１５２の開度を調整している。また、Ｓ３０の処理も、図２のＳ１０と同様である。本実施例では、Ｓ３０を終えると、制御装置１００は、Ｓ３２、Ｓ３３、Ｓ３４の監視を行う。Ｓ３２、Ｓ３３、Ｓ３４の各監視も、図２のＳ１２、Ｓ１３、Ｓ１４の各監視と同様である。本実施例では、Ｓ３４でＹＥＳの場合（給湯用加熱ユニット１３０が作動する場合）、制御装置１００は、Ｓ３６に進む。
【００５１】
Ｓ３６では、制御装置１００は、開閉弁１５２を全開し、バイパス路１５０を全開にする。これにより、暖房経路７１内の水がほとんどバイパス路１５０を通過し、加熱装置１２０の燃焼室１２２をほとんど通過しなくなる。正確に言うと、バイパス路１５０を開いた場合、暖房往路７２よりもバイパス路１５０の圧損が、暖房往路７２の圧損に比べて大幅に小さいため、暖房経路７１内の水の大部分はバイパス路１５０を通過する。暖房往路７２にもわずかに水が流れるが、暖房運転の効率を低下させる程の量は流れない。暖房経路７１内の水が加熱装置１２０の燃焼室１２２を通過しなくなることにより、暖房経路７１内の水が、加熱装置１２０の燃焼室１２２内を通過し、給湯用加熱ユニット１３０（給湯用バーナ１３２及び給湯用ファン１３４）と併せて作動する暖房用ファン１４４が起こす風の影響で冷やされてしまうことを防ぐことができる。
【００５２】
Ｓ３６で開閉弁１５２を開くと、Ｓ３８では、制御装置１００は、給湯用加熱ユニット１３０が停止することを監視する。給湯用加熱ユニット１３０が停止すると、制御装置１００は、Ｓ３８でＹＥＳと判断し、Ｓ４０に進む。なお、制御装置１００は、給湯用加熱ユニット１３０が停止する場合、作動させていた暖房用ファン１４４も停止させる。
【００５３】
Ｓ４０では、制御装置１００は、再び、開閉弁１５２を閉じる。これにより、再び、暖房経路７１内の水がほとんど加熱装置１２０の燃焼室１２２を通過するようになる。即ち、上記の通り、本実施例では、制御装置１００は、給湯用加熱ユニット１３０を作動させて行う給湯運転が行われている間（給湯用ファン１３４及び暖房用ファン１４４作動中）に限って、バイパス路１５０を全開にして、暖房経路７１内の水が加熱装置１２０の燃焼室１２２内を通らないようにし、給湯用加熱ユニット１３０を作動させて行う給湯運転が終了した時点（給湯用ファン１３４及び暖房用ファン１４４が停止した時点）で、暖房経路７１内の水が再び加熱装置１２０の燃焼室１２２内を通るようにする。従って、暖房用ファン１４４が起こす風の影響による暖房効率の低下を最小限に抑えることができる。Ｓ４０を終えると、制御装置１００は、再び、Ｓ３２、Ｓ３３、Ｓ３４の監視に戻る。
【００５４】
以上、本実施例の給湯暖房システム２の構成及び動作について説明した。上記の通り、本実施例の給湯暖房システム２も、暖房用加熱ユニット１４０を作動させずに暖房運転を行っている間に、給湯用加熱ユニット１３０が作動し、併せて暖房用ファン１４４も作動する場合に、暖房経路７１内の水が加熱装置１２０を通過することが抑制される。そのため、暖房経路７１内を通過する水が、暖房用ファン１４４の作動に伴う風の影響で冷やされることを抑制することができる。その結果、暖房用加熱ユニット１４０を作動させずに暖房運転を行っている間に、給湯用加熱ユニット１３０が作動し、併せて暖房用ファン１４４が作動する場合であっても、暖房効率が低下し難くなる。従って、本実施例の給湯暖房システム２によると、給湯用バーナ１３２、給湯用ファン１３４、暖房用バーナ１４２、及び、暖房用ファン１４４を、例えば同一のケース１２１を用いて一箇所にまとめて加熱装置１２０を構成している場合であっても、暖房効率が低下することを抑制することができる。
【００５５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００５６】
（変形例１）  上記の各実施例では、加熱装置１２０は、給湯用バーナ１３２、暖房用バーナ１４２の２個のバーナと、給湯用ファン１３４、暖房用ファン１４４の２個のファンを備えている。これには限られず、加熱装置１２０は、ファンを１個だけ備えていてもよい。
【００５７】
（変形例２）  暖房往路７２のうち、燃焼室１２２内を通過する部分の配管の外周は、断熱材で覆われていてもよい。このような構成とすることで、暖房経路７１内を通過する水が、給湯用ファン１３４の作動に伴う風の影響で冷やされることをさらに抑制することができる。
【００５８】
（変形例３）  上記の各実施例では、燃焼室１２２は、給湯用バーナ１３２及び暖房用バーナ１４２を格納するとともに、給湯用バーナ１３２及び暖房用バーナ１４２で発生する燃焼排ガスを燃焼室１２２外に送り出すための排気口１２４を１本だけ有している。これに代えて、燃焼室１２２内が、給湯用バーナ１３２を格納する第１領域と、暖房用バーナ１４２を格納する第２領域とに完全に区画され、第１領域には、給湯用バーナ１３２で発生する燃焼排ガスを第１領域外に送り出すための排気口が設けられ、第２領域には、暖房用バーナ１４２で発生する燃焼排ガスを第２領域外に送り出すための排気口が設けられていてもよい。この変形例によると、例えば、暖房用ファン１４４が停止している間に給湯用バーナ１３２及び給湯用ファン１３４を作動させても、給湯用バーナ１３２の燃焼排ガスが、暖房用バーナ１４２が設置されている第２領域内に流れ込むおそれがない。そのため、給湯用バーナ１３２及び給湯用ファン１３４が作動する場合に、併せて暖房用ファン１４４を作動させる必要がない。ただし、本変形例の構成でも、給湯用ファン１３４の作動に伴い、ケース１２１内が負圧になることに伴って、第２領域内に外気が流入して、暖房往路７２内の水が冷やされる場合がある。従って、本変形例でも、上記各実施例の技術を適用することによって、暖房用加熱ユニット１４０を作動させずに暖房運転を行っている間に、給湯用加熱ユニット１３０が作動する場合に、暖房経路７１内の水が加熱装置１２０を通過することが抑制されることにより、暖房経路７１内を通過する水が、負圧により第２領域内に流入する外気の影響で冷やされることを抑制することができる。
【符号の説明】
【００５９】
２：給湯暖房システム
１０：タンク
１２、１４、１６、１８：サーミスタ
２０：暖房用タンク水循環路
２２：循環ポンプ
２４：水道水導入路
２４ａ：第１導入路
２４ｂ：第２導入路
２６：逆止弁
２８：逆止弁
３０：水量センサ
３２：水道水供給源
３４：水量センサ
３６：給湯経路
３６ａ：混合弁
３６ｂ：バイパス路
３６ｃ：バイパス制御弁
３８：給湯栓
５０：ヒートポンプ
５２：蓄熱用タンク水循環路
５４：循環ポンプ
６０：熱交換器
７０：シスターン
７１：暖房経路
７２：暖房往路
７４：循環ポンプ
７６：暖房端末
７８：サーミスタ
８４：暖房復路
８６：サーミスタ
８８：熱回収路
９０：調整弁
９２：サーミスタ
９４：暖房用バイパス路
９６：循環流路
９８：サーミスタ
１００：制御装置
１０４：給湯系統
１０６：ヒートポンプ系統
１０８：暖房系統
１２０：加熱装置
１２１：ケース
１２２：燃焼室
１２４：排気口
１２６：区画壁
１３０：給湯用加熱ユニット
１３２：給湯用バーナ
１３４：給湯用ファン
１４０：暖房用加熱ユニット
１４２：暖房用バーナ
１４４：暖房用ファン
１５０：バイパス路
１５２：開閉弁
【図１】
2014115064.tif 000003
【図２】
2014115064.tif 000004
【図３】
2014115064.tif 000005
【図４】
2014115064.tif 000006